(57)【特許請求の範囲】
【請求項１】
車両の後面および／または側面にシャッタが開閉自在に設けられ、かつ同シャッタの外部に、略水平に雨水入り防止ガイドが取り付けられている消防車において、前記雨水入り防止ガイドの下面に、車両内外部の作業範囲を照らす照明灯を取付けたことを特徴とする消防車の照明装置。
【請求項２】
前記照明灯がＬＥＤを配置した照明基盤を有し、同基盤を、雨水入れ防止ガイド下面の長手方向に連続的に一体形成した溝部に対して摺動自在に係合させたことを特徴とする請求項１に記載の消防車の照明装置。
【発明の詳細な説明】
【技術分野】
【０００１】  本発明は、消防自動車、レスキュー車、電話工事など各種作業用の作業車、あるいは陳列販売用車両等において、物品収納庫の後方および／または側方に設けられる照明装置に関する。
【背景技術】
【０００２】  消防自動車、レスキュー車、電話工事など各種作業用作業車、あるいは陳列販売用車両等では、キャビン後方のシャーシ上に物品収納庫を架装され、この開口部は通常巻き上げ式のシャッタにて開閉される。そこに物品収納庫内を照明する装置が設置されている（特許文献１参照）。しかし、車両の周りにおいても作業活動が実施されており、円滑な作業を遂行するため、外部照明の必要性が求められた。
【先行技術文献】
【特許文献】
【０００３】
【特許文献１】特開２００６−２２４７２３号  公報
【発明の概要】
【発明が解決しようとする課題】
【０００４】  消防車をはじめ特殊車両において、夜間に作業する時には、車両の周囲に別途の作業灯を取り付けて作業範囲を照らしている。このため、その作業灯などを取り付ける時間と手間がかかる。加えて十分な光量を得るためには複数の照明器具をつけなければならないケースもしばしば生じている。【０００５】  また、特許文献１に記載のような照明装置においては、シャッタの内部にしか照明が届かず、かつシャッタを開いたときにのみ使用される。さらにガイドレールとシャッタとは摺動自在に係合されているが、ガイドレールに取り付けられた照明装置に故障が生じる恐れが大きい。さらに照明は、ガイドレールの両側の側面双方にそれぞれ設けられる必要がある。
【課題を解決するための手段】
【０００６】  本発明の目的は、取付けが簡単で車両の内外部周辺作業範囲を効率的に照明可能な照明設備を提供することにある。このために、車両の後面および／または側面にシャッタが開閉自在に設けられ、かつ同シャッタの外部に、略水平に雨水入り防止ガイドが取り付けられている消防車等の特殊車両において、前記雨水入り防止ガイドの下面に、車両内外部の作業範囲を照らす照明灯を取付けたことにある。【０００７】  また、前記照明灯がＬＥＤを配置した基板を有し、前記基板を、雨水入れ防止ガイドの下面の長手方向に連続的に一体形成した溝部に対して摺動自在に係合させた。しかも、前記前記雨水入り防止ガイドの照明灯取付面は、下向きのほか外向きに傾斜して配置することもできる。さらに前記溝部の頂部には、細溝が形成されている。
【発明の効果】
【０００８】  シャッタを付けた車両はシャッタの内部からものを出し入れしたり、ものを置いて作業をしたり、操作装置をいじったりすることが多々ある。その際、別途に付けた照明器具で作業範囲を照らしていた。その照明が作業場をしっかり照らせなかったり、照明器具の設置により作業範囲が狭くなったりする。しかし本発明は別途の照明器具を設置することなくシャッタの雨水入り防止ガイドの内側に、外部の作業範囲を照らす照明灯を取付けて作業場およびシャッタ内照明を得ることができる。【０００９】  雨水入り防止ガイド内側領域であれば庫外からでも容易に手が届くから、照明灯の取付け作業に何ら支障がなく、作業を簡単迅速に行える。また照明灯は物品を当てると損傷しやすいが、ガイドレール内側領域は物品を出し入れする際に物品が通過する領域ではないから、物品出し入れ時に照明灯に物品を不測に当てて損傷するといった心配がない。加えて、雨水入り防止ガイド内側領域に照明灯を取付けると、車外を手前側から広く照明することができ、この照明が照らす範囲は作業しやすい効果的な照明が可能である。【００１０】  さらにＬＥＤ配置の基板の高さ位置は取り付けシャッタの位置と一緒となり、照明灯の収付け作業がさらに容易に行える。また、基板に配線を組み込むことが出来るので、装置をコンパクトに構成できる。また、車両外部の作業範囲を広範囲にわたって照明できるから、作業灯を別に設置する作業が省け、特に一刻を争う消防車等においては迅速かつ的確なる活動ができる。【００１１】  さらに、車両の周辺外部を照らす事で、夜間の屋外活動が可能になり活動範囲が広まる。その際シャッタを閉めておくことで、シャッタの壁面に光が反射し、より照明度が高い環境を生むことが出来る。照明灯の取付面を外側に傾斜させることによって、照明の範囲を広げることができる。また、シャッタの開閉に関わらず照らすことが可能になり、車両の両サイド及び後方面にシャッタが設置されている際は全方位的に照明が可能になり、汎用性が高まる。シャッタと照明設備を連動しないで単体で操作することにより、係合によるトラブルを回避することが出來る。照明灯はシャッタ外側上面一箇所で済む。また内部では複雑な構造を簡素化され、取付作業の手間を省く事ができ、更には不具合の発生率を減少できる。ハンドル部分をバーシャッタ化することにより、既存の押し込み式とは違い２箇所でロックが掛かることから、ハンドル部の故障時走行中にシャッタが開くことを防ぐことが出来る。そのことにより中の積載物が落下しないことを防ぐと共に、走行時照明をつけたまま走行すると道路交通法に違反するが、回避することが可能になる。又施鍵装置をハンドル部分と一体化されているものを分けることにより、開閉による故障の確立を減少させる工夫を設けた。
【図面の簡単な説明】
【００１２】
【図１】本発明の一実施例を示す消防車の側面図
【図２】本発明の一実施例を示す消防車の背面図
【図３】照明灯の取付け状態を示す図１におけるＡ−Ａ線矢視図
【図４】照明灯の取付け状態を示す他の実施例の断面図
【図５】照明器具の取付け部の拡大断面図
【発明を実施するための形態】
【００１３】  以下本発明の実施の形態を図１〜図５に基づいて説明する。
【００１４】  図において、１は消防車、２はこの車体の前部にあって運転手や作業者が搭乗するキャビンおよびこのキャビン２の後部にあってシャーシ上に架装した物品収納庫３からなる。３１は、ボディ本体である。４は物品収納庫３の側面および／または背面に設けられたシャッタである。また、３４，３７はシャッタサイドレール、３５，３６はロックバー押さえである。
【００１５】  ５は雨水入り防止ガイドである。シャッタ４の内部に雨水が入らないようにまた、シャッタ内部の物品の出し入れに支障をきたさないように図１および図２に示すようにシャッタ４の上部に略水平方向に配置されている。また、図３〜図５に示す雨水入り防止ガイド５は、アルミ押出材で一体形成されており、その上面には樋部５１が形成され、下面にはシールブラシ５２と照明器具２１が配置される。下面内側のシャッタ側には、ガイドブラシ取付部３２が形成されており、このガイドブラシ取付部３２にシールブラシベース３３を嵌合してシールブラシ５２がシャッタ４に接するように取付けられる。
【００１６】  一方、雨水入り防止ガイド５の下面外側には、照明基盤５４を埋め込むための溝５３が設けられている。５は溝５３の照明基盤５４が当接する部分に貼られたアルミ製板である。このアルミ製板５５は、照明基盤５４の放射熱を逃がす効果を有している。照明灯である照明器具２１は蛍光灯でも良いがＬＥＤが好ましい。ＬＥＤは消費電力が少なく寿命が長いので車両に使うにはメリットが多い。
【００１７】  ５６は照明基盤５４の埋込み溝５３の天井頂部に設けられた小溝である。この小溝５６は、アルミ製板５５と雨水入り防止ガイド５に溜まりやすい熱を逃がすためにあり、照明基盤５４を長持ちさせる効果がある。
【００１８】  ５７は埋込み溝５３内に取付けられたアルミガイドである。図５に示すように照明灯である照明器具２１の照明基盤５４の取付け角度を３段階に変えることができるように、アルミガイド５７Ａ、５７Ｂ、５７Ｃが形成されている。また、アルミガイド５７Ａを使用して照明器具２１を取り付けたときには、図１、図２、図５に示すように照射向き３８を、アルミガイド５７Ｂの場合は照射向き３９を、アルミガイド５７Ｃの場合は照射向き４０をそれぞれ得られるようになっている。２２は、照明器具２１の保護カバーである。さらに雨水入り防止ガイド５の照明器具２１の取付面を図４に示すように垂直方向からαだけ若干外向きに傾けるように形成することもできる。これにより、雨水の影響を受けることなく照明器具２１の照射向きを外側に向けることができる。
【００１９】  ６はシャッタ４の先端部に設けられたシャッタ４の開閉バーである。既存のハンドルは開け口が真ん中１箇所で開ける仕組になっているが、６の開閉バーは左右どこからでも開けられるようにシャッタ横長さと同じに工夫している。
３５及び３６はアルミシャッタを固定するストッパーである。ストッパーを２箇所取り付けることでシャッタが勝手に開くことを２重に防止できる構造になっている。
手動で上下動する型式では、その最下端のパネルの前面に横長の操作バーが取付けられる。
【実施例】
【００２０】  このように構成された消防車等の車両は、現場に到着するとシャッタ４を開く。開閉バー６を利用してシャッタ４を手で押し上げると、垂直なシャッタ４の上部が図示せざるガイドローラで略水平な方向にガイドされて図示せざる巻取りドラムに巻き取られ、最下端のパネルが最上位まで上昇して開口部を全開する。シャッタ４を開け始めた時に、照明装置のスイッチをＯＮするように作動させて、照明器具２１を点灯し、車両内外部周辺作業範囲を効率的に照らすことができる。もちろん、従来の別置きの照明灯は不必要となり直ちに作業に取り掛かることができる。通常照明装置のスイッチはシャッタの開閉で自動的にＯＮ，ＯＦＦするように連動させている。しかしながら昼間作業など照明器具５４の点灯が不要な場合などのために、シャッタ４の開閉とは関係なく、手動で任意にＯＮ，ＯＦＦさせ得るようにしておくのが好都合である。【００２１】  この発明の照明装置は、特に車高の低い車両、つまり照明器具２１の取付け高さが高くない場合など照明の範囲が不足するときには、埋め込み溝５３内のアルミガイド５７Ａ，５７Ｂ，５７Ｃを利用して外向きに傾斜させて照明基盤５４を取付ける。このようにして作業場所を正確に照らすように工夫をしている。また、図４に示すように照明器具２１の取付面を垂直方向からαだけ若干外向きに傾けるように形成して照射向きを外側にすることもできる。【００２２】  また、シャッタ４を動かすことによって、雨水入り防止ガイド５のブラシ取付部３２に取付けられたシールブラシ５２によりシャッタ４表面のごみや雨滴を除去する。また、樋５１により雨水の浸入を防ぐ。【００２３】  以上一実施例について述べてきたが、本発明は実施例に限定されることなく種々の変形が可能であることは言うまでもない。本発明照明装置は消防車のほか、レスキュー車、電話工事など各種作業用の作業車、あるいは陳列販売用車両等にも適用できる。照明基盤５４つまり照明灯もＬＥＤ２１や蛍光灯に限定されることなく種々の光源を使用できる。さらに、雨水入り防止ガイド５の照明灯は、シャッタに対して外向きに傾斜して取付けることができる溝は、３段階以上に傾斜するように複数個設けることもできる。また、照明基盤５４の埋込み溝５３の天井頂部に設けられた小溝５６は、アルミ製板５５と雨水入り防止ガイド５に溜まりやすい熱を逃がすためのものであるから必要に応じ数条の小溝とすることもできる。
【符号の説明】
【００２４】１  消防車
２  キャビン
２１  照明器具
２２  保護カバー
３  物品収納庫
３２  ガイドブラシ取付部
３８  照射向き
３９  照射向き
４０  照射向き
４  シャッタ
５  雨水入り防止ガイド
５１  樋
５２  シールブラシ
５３  埋込み溝
５４  照明基盤
５５  アルミ製板
５６  小溝
５７  アルミガイド
【図１】
0006004219.tif 000002
【図２】
0006004219.tif 000003
【図３】
0006004219.tif 000004
【図４】
0006004219.tif 000005
【図５】
0006004219.tif 000006